(57)【要約】【課題】商品の買い物以外の多様なサービス代行に係るおつかいを対象とし、当事者間のマッチングを図ると共に、代行料金を自由に決められる仕組みを提供すること。【解決手段】本発明は、ユーザの情報端末と通信自在なサーバ装置であって、情報端末と通信する通信部１２と、情報端末によるおつかい、おでかけのリクエストを受け付け登録する登録部１１ｄと、情報端末からのリクエストに応じて代行に係る料金を試算する料金試算部１１ｂと、情報端末からのリクエストに応じて所定条件のおつかいの代行が可能な他のユーザを特定し、或いは所定条件のおつかいをリクエストしている他のユーザを特定し、一のユーザと他のユーザとのマッチングを図るマッチング処理部１１ｃとを備え、マッチング処理部によりマッチングに際しては、料金試算部１１ｂにより試算された料金を参照しつつ、希望する料金を設定可能とした。【選択図】図２
2019016195.tif 000002
【特許請求の範囲】
【請求項１】
ユーザの情報端末とサーバ装置とからなるおつかい代行システムにおいて、
上記情報端末は、
上記サーバ装置と通信する第１通信部と、
所定の表示を行う表示部と、
上記サーバ装置から送られた画面データに基づいてＷｅｂページを閲覧する閲覧部と、
上記閲覧に際して上記表示部の表示を制御する表示制御部と、を備え、
上記サーバ装置は、
上記情報端末と通信する第２通信部と、
上記情報端末によるおつかい、おでかけのリクエストを受け付け登録する登録部と、
上記情報端末からのリクエストに応じて代行に係る料金を試算する料金試算部と、
上記情報端末からのリクエストに応じて所定条件のおつかいの代行が可能な他のユーザを特定し、或いは所定条件のおつかいをリクエストしている他のユーザを特定し、一のユーザと他のユーザとのマッチングを図るマッチング処理部と、を備え、
上記マッチング処理部によりマッチングに際しては、上記料金試算部により試算された料金を参照しつつ、希望する料金を設定可能とした
おつかい代行システム。
【請求項２】
上記情報端末は、位置情報を検知し上記サーバ装置に送信する位置検知部を備え、
上記サーバ装置は、上記情報端末から送信された位置情報を取得し、当該位置情報を解析する位置情報取得解析部を更に備えており、
上記マッチング処理部によるマッチングに際しては、上記位置情報取得解析部による解析結果に基づいて、上記おつかいを遂行するのに適した他のユーザを特定する
請求項１に記載のおつかい代行システム。
【請求項３】
上記おつかいには、商品の買い物、サービスの遂行が含まれる
請求項１又は請求項２に記載のおつかい代行システム。
【請求項４】
ユーザの情報端末と通信自在なサーバ装置であって、
上記情報端末と通信する通信部と、
上記情報端末によるおつかい、おでかけのリクエストを受け付け登録する登録部と、
上記情報端末からのリクエストに応じて代行に係る料金を試算する料金試算部と、
上記情報端末からのリクエストに応じて所定条件のおつかいの代行が可能な他のユーザを特定し、或いは所定条件のおつかいをリクエストしている他のユーザを特定し、一のユーザと他のユーザとのマッチングを図るマッチング処理部と、を備え、
上記マッチング処理部によりマッチングに際しては、上記料金試算部により試算された料金を参照しつつ、希望する料金を設定可能とした
サーバ装置。
【請求項５】
上記サーバ装置は、上記情報端末から送信された位置情報を取得し、当該位置情報を解析する位置情報取得解析部を更に備えており、
上記マッチング処理部によるマッチングに際しては、上記位置情報取得解析部による解析結果に基づいて、上記おつかいを遂行するのに適した他のユーザを特定する
請求項４に記載のサーバ装置。
【請求項６】
上記おつかいには、商品の買い物、サービスの遂行が含まれる
請求項４又は請求項５に記載のサーバ装置。
【請求項７】
ユーザの情報端末とサーバ装置によるおつかい代行方法において、
上記情報端末によるおつかい、おでかけのリクエストを受け付け登録するステップと、上記情報端末からのリクエストに応じて代行に係る料金を試算するステップと、
上記情報端末からのリクエストに応じて所定条件のおつかいの代行が可能な他のユーザを特定し、或いは所定条件のおつかいをリクエストしている他のユーザを特定し、一のユーザと他のユーザとのマッチングを図るステップと、を有し、
上記マッチングに際しては、上記試算された料金を参照しつつ、希望する料金を設定可能としたおつかい代行方法。
【請求項８】
上記マッチングに際しては、上記ユーザの情報端末の位置情報の取得解析結果に基づいて、上記おつかいを遂行するのに適した他のユーザを特定する
請求項７に記載のおつかい代行方法。
【請求項９】
上記おつかいには、商品の買い物、サービスの遂行が含まれる
請求項７又は請求項８に記載のおつかい代行方法。
【発明の詳細な説明】
【技術分野】
【０００１】
本発明は、おつかい代行システム、サーバ装置、及びお使い代行方法に関する。
【背景技術】
【０００２】
従来、所望とする商品の買い物をはじめとする所謂おつかいについて、外出が困難な事情や、地理的困難性等に鑑みて、他者による代行が要望されることがある。そして、今日では、情報技術の進展により、そのような買物代行、おつかい代行をコンピュータにより支援する種々の取り組みがなされている。
【０００３】
この種の技術として、例えば特許文献１では、購入者コンピュータと、販売者コンピュータと、買物エージェントコンピュータとが通信ネットワークを介して接続され、買物エージェントコンピュータは、登録された購入条件に基づいて販売者コンピュータに格納されている商品情報を検索し、検索結果を購入者コンピュータに送信する買物代行システムが開示されている。
【０００４】
さらに、特許文献２では、依頼者の要望事項は、それぞれの要素に分けてデータベース化し、ホストに保管し、維持管理し、依頼者からの要望を記録し、適切な業務手順を選択し、サービスの遂行状況を管理するお使い代行システムが開示されている。
【０００５】
そして、特許文献３では、受注から購入・配達と代金回収までを、受注したその日の内に完結できるよう作業能率向上のために必要な、集計・計算及び帳簿等の作成を行う買物代行システムが開示されている。
【０００６】
また、特許文献４では、買い物代行のために買物依頼者が支払う利用料として店が定めた所定の買物代行利用料を店が買物代行者から受領するための受領手段と、買い物代行のために買い物代行者が受け取る手数料として買い物代行利用料を店が買い物代行者に支払うための支払い手段を備えた買い物代行サポートシステムが開示されている。
【先行技術文献】
【特許文献】
【０００７】
【特許文献１】特開２００１−２９７２１４号公報
【特許文献２】特開２００５−１８６６３号公報
【特許文献３】特開２００９−５４１２８号公報
【特許文献４】特開２０１３−１８２５２７号公報
【発明の概要】
【発明が解決しようとする課題】
【０００８】
しかしながら、特許文献１に開示されたものは、購入条件に合致した商品情報を提供するにすぎない。そして、特許文献２に開示されたものは、サービス遂行状況の管理をするにすぎない。さらに、特許文献３に開示されたものは、買い物代行について、集計・計算及び帳簿等の作成を行うにすぎない。また、特許文献４に開示されたものは、利用料の受領や支払のサポートをするにすぎない。
【０００９】
このように、従来技術に係るシステムでは、商品の買い物にかかわる不便さを緩和することに着眼されたものであり、買い物以外の、例えば現地での写真撮影等の所謂サービスをおつかいの対象としたものではない。更に、利用料についても、一義に決まる仕組みになっており、適正料金算定のために役に立つ参考料金を提示した上で、当事者間で自由に代行料金を決められる仕組みについては開示されていない。
【００１０】
本発明は、このような課題に鑑みてなされたものであり、その目的とするところは、商品の買い物以外の多様なサービス代行に係るおつかいを対象とし、当事者間のマッチングを図ると共に、代行料金を自由に決められる仕組みを提供することにある。
【課題を解決するための手段】
【００１１】
上記課題を解決するため、本発明の第１の態様に係るおつかい代行システムは、ユーザの情報端末とサーバ装置とからなるおつかい代行システムにおいて、上記情報端末は、上記サーバ装置と通信する第１通信部と、所定の表示を行う表示部と、上記サーバ装置から送られた画面データに基づいてＷｅｂページを閲覧する閲覧部と、上記閲覧に際して上記表示部の表示を制御する表示制御部と、を備え、上記サーバ装置は、上記情報端末と通信する第２通信部と、上記情報端末によるおつかい、おでかけのリクエストを受け付け登録する登録部と、上記情報端末からのリクエストに応じて代行に係る料金を試算する料金試算部と、上記情報端末からのリクエストに応じて所定条件のおつかいの代行が可能な他のユーザを特定し、或いは所定条件のおつかいをリクエストしている他のユーザを特定し、一のユーザと他のユーザとのマッチングを図るマッチング処理部と、を備え、上記マッチング処理部によりマッチングに際しては、上記料金試算部により試算された料金を参照しつつ、希望する料金を設定可能とした。
【００１２】
本発明の第２の態様に係るサーバ装置は、ユーザの情報端末と通信自在なサーバ装置であって、上記情報端末と通信する通信部と、上記情報端末によるおつかい、おでかけのリクエストを受け付け登録する登録部と、上記情報端末からのリクエストに応じて代行に係る料金を試算する料金試算部と、上記情報端末からのリクエストに応じて所定条件のおつかいの代行が可能な他のユーザを特定し、或いは所定条件のおつかいをリクエストしている他のユーザを特定し、一のユーザと他のユーザとのマッチングを図るマッチング処理部と、を備え、上記マッチング処理部によりマッチングに際しては、上記料金試算部により試算された料金を参照しつつ、希望する料金を設定可能とした。
【００１３】
本発明の第３の態様に係るおつかい代行方法は、ユーザの情報端末とサーバ装置によるおつかい代行方法において、上記情報端末によるおつかい、おでかけのリクエストを受け付け登録するステップと、上記情報端末からのリクエストに応じて代行に係る料金を試算するステップと、上記情報端末からのリクエストに応じて所定条件のおつかいの代行が可能な他のユーザを特定し、或いは所定条件のおつかいをリクエストしている他のユーザを特定し、一のユーザと他のユーザとのマッチングを図るステップと、を有し、上記マッチングに際しては、上記試算された料金を参照しつつ、希望する料金を設定可能とした。
【発明の効果】
【００１４】
本発明によれば、商品の買い物以外の多様なサービス代行に係る広範なおつかいを対象とし、当事者間のマッチングを図ると共に、代行料金を自由に決められるようにした、おつかい代行システム、サーバ装置、及びおつかい代行方法を提供することができる。
【図面の簡単な説明】
【００１５】
【図１】本発明の第１実施形態に係るおつかい代行システムの構成図である。
【図２】同システムのサーバ装置の構成図である。
【図３】各種テーブルの関係を説明する図である。
【図４】会員テーブルの一例を示す図である。
【図５】おつかい／おでかけテーブルの一例を示す図である。
【図６】おつかい種別テーブルの一例を示す図である。
【図７】料金テーブルの一例を示す図である。
【図８】同システムの情報端末の構成図である。
【図９】同システムによる試算に係る処理手順を示すフローチャートである。
【図１０】同システムによるマッチングの処理手順を示すフローチャートである。
【図１１】同システムによるマッチングの処理手順を示すフローチャートである。
【図１２】画面表示例を示す図である。
【図１３】画面表示例を示す図である。
【図１４】画面表示例を示す図である。
【図１５】画面表示例を示す図である。
【発明を実施するための形態】
【００１６】
以下、図面を参照しつつ本発明の一実施形態について説明する。
【００１７】
図１には、本発明の一実施形態に係るおつかい代行システムの構成を示し説明する。
【００１８】
同図に示されるように、おつかい代行システムは、おつかい代行に係るＷｅｂサービスを提供するサーバ装置１を備えており、サーバ装置１は、ユーザの情報端末２とインターネット等のネットワーク３を介して通信自在に接続されている。ユーザの情報端末2としては、スマートフォンやタブレット端末等、各種のものを採用できる。
【００１９】
このような構成において、ユーザは、情報端末２でサーバ装置１の提供するＷｅｂサイトにアクセスすることで、おつかい代行に係るサービスの提供を受けることができる。より具体的には、例えばおつかい代行を所望する場合には、ユーザは「おねがい」に関する各種情報をサーバ装置１に登録することができる。この「おねがい」としては、所謂商品の買い物などのおつかいの他、例えば現地での写真撮影やブログ記事の執筆等のサービス遂行を登録することができる。また、ユーザは、例えば、どこかの国に所定期間、滞在する予定、所謂「おでかけ」の予定があり、その間に現地で「おねがい」の代行が可能である場合には、「おでかけ」の詳細を登録することができる。
【００２０】
サーバ装置１は、このような「おねがい」や「おでかけ」に関する情報の登録を受け付けると、Ｗｅｂページ上で紹介し、ユーザからのリクエストに応じて、「おねがい」と「おでかけ」のマッチング処理を実行する。マッチング処理の詳細については後述するが、例えば、アメリカ合衆国のニューヨークでの写真撮影の「おねがい」がある場合には、ニューヨークに滞在予定のユーザで「おでかけ」登録のあるユーザを抽出し、紹介することも可能である。このほか、サーバ装置１は、定期的に会員の位置情報を取得し解析してデータベース（以下、ＤＢ）に格納しているので、「おねがい」代行に好適なユーザを位置情報い基づいて抽出し、上記マッチングに役立てることもできる。
【００２１】
図２には、おつかい代行システムのサーバ装置の構成を示し説明する。
【００２２】
同図に示されるように、サーバ装置１は、全体の制御を司るＣＰＵ（Central Processing Unit〉などの制御部１１を備えており、制御部１１は、通信部１２、記憶部１３と接続されている。通信部１２は、ネットワーク３を介してユーザの情報端末２と通信するための通信インタフェースである。記憶部１３は、ＲＡＭやＲＯＭ等のメモリやハードディスクドライブ（ＨＤＤ）等を備えており、制御部１１で実行されるプログラム１７を記憶しており、その実行時にはワークエリアを提供する。また、記憶部１３は、論理的には、会員ＤＢ１４、料金ＤＢ１５、おつかいＤＢ１６を記憶している。
【００２３】
ここで、図３には、各種テーブルの関係を示し説明する。
【００２４】
先ず、会員ＤＢ１４に格納されている会員テーブル１００には、会員ＩＤと対応付けて名前、性別、生年月日、現住所、おつかい可能種別、自己紹介文等が記憶されている（詳細は図４参照）。ここでは、説明の便宜上、各情報をテキストで示したが、実際には、地域テーブル１０３、国テーブル１０４、都市テーブル１０５、おつかい種別テーブル１０６等で要素ごとに定義されているＩＤで対応付けられている。
【００２５】
おつかいＤＢ１６には、おねがいテーブル１０１とおでかけテーブル１０２が格納されている。先ず、おねがいテーブル１０１では、お願いＩＤと対応付けられて、おつかい種別、地域、国、都市、会員ＩＤ、名前、おつかい金額、完了希望日、荷物サイズ、代理購入希望額、及びお願い内容説明文等が記憶されている（詳細は図５（ａ）参照）。これに対して、おでかけテーブル１０２では、おでかけＩＤと対応付けられて、おでかけ種別、地域、国、都市、会員ＩＤ、名前、おつかい金額、完了予定日、荷物サイズ、代理購入可能額、及びおでかけ内容説明文等が記憶されている（詳細は図５（ｂ）参照）。ここでも、説明の便宜上、各情報をテキストで示したが、実際には、地域テーブル１０３、国テーブル１０４、都市テーブル１０５、おつかい種別テーブル１０６、荷物サイズテーブル１０７等で要素ごとに定義されているＩＤで対応付けられている。尚、地域テーブル１０３、国テーブル１０４、都市テーブル１０５は、例えば会員ＤＢ１４に格納されており、おつかい種別テーブル１０６は、例えばおつかいＤＢ１６に格納されており、荷物サイズテーブル１０７は、例えば、料金ＤＢ１５に格納されている。
【００２６】
図６に示されるように、おつかい種別テーブルは、多種多様なサービスを想定して構築されている。即ち、買物代行、運搬代行、現地発送代行、現地調査、現地写真撮影、現地記事作成、現地翻訳、現地ガイド、及び現地送迎等が、所定のおつかい種別ＩＤと紐づけられている。また、図７に示されるように、荷物サイズテーブルでは、荷物サイズに応じた運搬料金を定義しているが、荷物の重さと運搬先地域により料金が定まるようになっている。例えば、図７（ａ）は、航空便、図７（ｂ）は、船便にそれぞれ対応しているが、このほかに陸路に係るテーブルを採用してもよい。
【００２７】
ここで図２の説明に戻ると、上述したような構成により、制御部１１は、記憶部１３のプログラム１７を読み出し、実行することで、主制御部１１ａ、料金試算部１１ｂ、マッチング処理部１１ｃ、登録部１１ｄ、画面データ生成部１１ｅ、位置情報取得解析部１１ｆ、及び決済部１１ｇ等として機能する。
【００２８】
主制御部１１ａは、統括的な制御を司る。料金試算部１１ｂは、情報端末からのリクエストに応じて、おつかい代行に係る料金を試算する。例えば、おつかいが「買い物代行」である場合には、荷物サイズテーブル１０７等を参照して、料金を試算する。マッチング処理部１１ｃは、「おねがい」を所望するユーザと、「おでかけ」の登録のあるユーザのマッチングを図る。より詳細には、情報端末２からのリクエストに応じて、所定条件のおつかいの代行が可能な他のユーザを特定し、或いは所定条件のおつかいをリクエストしている他のユーザを特定し、一のユーザと他のユーザとのマッチングを図る。このマッチングに際しては、おねがいテーブル１０１とおでかけテーブル１０２を参照し、両者の共通項を検出して、好適なマッチングを図ることになる。
【００２９】
なお、マッチング処理部１１ｃによるマッチングに際しては、料金試算部１１ｂにより試算された料金を参照しつつ、希望する料金を更に設定することを可能としている。つまり、ユーザの自由意思により、所望する金額を設定することが可能である。
【００３０】
登録部１１ｄは、おつかい、おでかけのリクエストを受け付けテーブル１０１，１０２に登録する。画面データ生成部１１ｅは、情報端末２で表示するための各種ＷｅｂページをＨＴＭＬデータ等で生成する。位置情報取得解析部１１ｆは、情報端末２から送信された位置情報を取得し、当該位置情報を解析し、会員Ｂ１４の会員テーブル１００に登録する。先に説明したマッチング処理部１１ｃによるマッチングに際しては、位置情報取得解析部１１ｆによる解析結果に基づいて、おつかいを遂行するのに適した他のユーザを特定することもできる。以上のほか、決済部１１ｇは、ユーザの情報端末２による決済のリクエストを受け付けて決済処理を実行する。
【００３１】
図８には、おつかい代行システムの情報端末の構成を示し説明する。
【００３２】
同図に示されるように、情報端末２は、全体の制御を司るＣＰＵ等の制御部２１を備えており、制御部２１は、通信部２２、操作部２３、表示部２４、ＧＰＳ部２５、及び記憶部２６と接続されている。通信部２２は、ネットワーク３を介してサーバ装置１等と通信する通信インタフェースである。操作部２３は、マウスやキーボード等の操作デバイスであり、表示部２４は液晶ディスプレイ等の表示デバイスであり、両者をタッチパネルとして一体に構成してもよい。ＧＰＳ部２５は、情報端末２の現在位置を検出し、検出信号を制御部２１に送信する。記憶部２６は、ＲＯＭやＲＡＭ等のメモリやＨＤＤ等で構成されとており、制御部２１で実行されるプログラム２７が格納されている。
【００３３】
このような構成において、制御部２１は、記憶部２６のプログラム２７を実行することで、主制御部２１ａ、位置検知部２１ｂ、閲覧部２１ｃ、及び表示制御部２１ｄとして機能する。主制御部２１ａは、統括的な制御を司る。位置検知部３１ｂは、ＧＰＳ部２５からの検出信号に基づいて情報端末２の現在位置を検知し、位置情報をサーバ装置１へと通信部２２を介して送信する。閲覧部２１ｃは、サーバ装置１から送られた画面データに基づいてＷｅｂページを閲覧可能とする。表示制御部２１ｄは、閲覧に際して表示部２４の表示を制御する。
【００３４】
以下、図９のフローチャートを参照して、おつかい代行システムによる試算に係る処理手順を説明する。
【００３５】
処理を開始すると、料金試算部１１ｂは、おつかいＤＢ１６のおねがいテーブルを参照して、おつかい種別が買物代行又は運搬代行種別のものについて登録があるか否かを確認する（Ｓ１）。ここで、登録がないと判断されたときは（Ｓ１をＮｏ）、この処理を終了する。一方、登録が確認されたときは（Ｓ１をＹｅｓ）、料金試算部１１ｂは、登録する情報の国／荷物サイズ／完了予定日に合致する郵送料金を料金ＤＢ１５の荷物サイズテーブルを参照して検索する（Ｓ２）。そして、合致した郵送料金を試算結果として出力し（Ｓ３）、一連の処理を終了する。この出力結果は、画面データ生成部１１ｅにより画面データとして生成され、通信部１２を介してユーザの情報端末２に送信され、当該情報端末２において閲覧部２１ｃの機能により閲覧可能となる。そして、ユーザは、この郵送料金を参照しつつ、希望する金額をおつかい金額として自由に入力することができる。
【００３６】
次に、図１０のフローチャートを参照して、おつかい代行システムによるマッチングの処理手順を説明する。ここでは、おねがい／おでかけ情報の登録についての抽出並びに相互マッチング処理を中心に説明する。
【００３７】
処理を開始すると、マッチング処理部１１ｃが、おつかいＤＢ１６のおねがいテーブル及びおでかけテーブルを参照して、おねがい／おでかけ情報を登録しているか否かを判断する（Ｓ１１）。ここで、登録がない場合には（Ｓ１１をＮｏ）、この処理を終了する。一方、登録があると判断されたときは（Ｓ１１をＹｅｓ）、マッチング処理部１１ｃは、種別／地域／国／日時にＡＮＤ条件で合致する登録情報を検索し（Ｓ１２）、合致したおねがい／おつかい情報を出力する（Ｓ１３）。そして、未処理の登録情報があるか否かを判断し（Ｓ１４）、未処理の登録情報がある場合には（Ｓ１４をＹｅｓ）、ステップＳ１２に戻り、上記処理を繰り返し、未処理の登録情報がない場合には（Ｓ１４をＮｏ）、一連の処理を終了することになる。この出力結果は、画面データ生成部１１ｅにより画面データとして生成され、通信部１２を介してユーザの情報端末２に送信され、当該情報端末２において閲覧部２１ｃの機能により閲覧可能となる。そして、ユーザは、この結果を参照しつつ、依頼先又は依頼元として希望する相手を選択できるようになる。
【００３８】
次に図１１のフローチャートを参照して、おつかい代行システムによるマッチングの処理手順を説明する。ここでは、おすすめ会員のマッチングについて言及する。
【００３９】
処理を開始すると、マッチング処理部１１ｃが、おつかいＤＢ１６のおねがいテーブルを参照して、おねがい情報を登録しているか否かを判断する（Ｓ２１）。ここで、登録がない場合には（Ｓ２１をＮｏ）、この処理を終了する。一方、登録があると判断されたときは（Ｓ２１をＹｅｓ）、マッチング処理部１１ｃは、種別／地域／国／と会員番号のおつかい可能種別／現住所が合致する登録情報を検索し（Ｓ２２）、合致した会員情報を出力する（Ｓ２３）。そして、未処理のおねがい情報があるか否かを判断し（Ｓ２４）、未処理のおねがい情報がある場合には（Ｓ２４をＹｅｓ）、ステップＳ２２に戻り、上記処理を繰り返し、未処理の登録情報がない場合には（Ｓ２４をＮｏ）、一連の処理を終了することになる。この出力結果は、画面データ生成部１１ｅにより画面データとして生成され、通信部１２を介してユーザの情報端末２に送信され、当該情報端末２において閲覧部２１ｃの機能により閲覧可能となる。そして、ユーザは、この結果を参照しつつ、依頼先として希望する会員を選択できるようになる。
【００４０】
最後に、図１２乃至図１５を参照して、画面遷移について説明する。
【００４１】
図１２は、おねがい登録の画面の一例を示している。同画面では、おねがいに係るタイトル、おねがい内容、おつかい金額、完了希望日、行先（地域、国、都市）を入力できるようになっている。この例では、おねがい内容として「画像のものを買い物代行してほしい、施設の情報を調べてほしい」と入力されているが、買物対象を画像で特定する場合には、画像を添付することも可能となっている。
【００４２】
図１３は、おねがいの応募状況一覧の画面の一例を示している。同画面では、募集中のおねがいのタイトル、行先、掲載期間、状況、応募数が表示される。また、応募したおねがいの募集者、タイトル、行先、掲載期間が表示される。したがって、応募状況等を応募数も含めて簡易に確認することができる。
【００４３】
図１４は、おつかい一覧の画面の一例を示している。同画面では、ワーク中のおつかいの依頼者、タイトル、行先、納品日が表示されると共に、依頼中のおつかいのワーカー、タイトル、行先、納品日が表示される。
【００４４】
図１５は、おでかけ登録の画面の一例を示している。同画面では、おでかけに関する完了予定日、行先（地域、国、都市）、おつかい種別、おつかい金額、立てかけ可能金額、お使い可能サイズ、及びおつかいの内容（テキスト）を入力又は選択できるようになっている。おつかい種別については、この例では、買い物、運搬、調査、撮影、その他の中から所望とするものを選択するようになっており、それら種別は、おつかい種別テーブルに対応している。
【００４５】
以上説明したように、本発明の一実施形態によれば、商品の買い物以外の多様なサービス代行に係る広範なおつかいを対象とし、当事者間のマッチングを図ると共に、代行料金を自由に決められるようにした、おつかい代行システム、サーバ装置、及びおつかい代行方法を提供することができる。
【００４６】
以上、本発明の第１乃至第６実施形態について説明したが、本発明はこれに限定されることなくその趣旨を逸脱しない範囲で種々の改良・変更が可能であることは勿論である。
【００４７】
例えば、会員のおつかいに関する過去の実績を評価として提示し、会員の選択、あるいはおつかいの選択に役立てることも可能である。
【符号の説明】
【００４８】
１…サーバ装置、２…情報端末、３…ネットワーク、１１…制御部、１１ａ…主制御部、１１ｂ…料金試算部、１１ｃ…マッチング処理部、１１ｄ…登録部、１１ｅ…画面データ生成部、１１ｆ…位置情報取得解析部、１１ｇ…決済部、１２…通信部、１３…記憶部、１４…会員ＤＢ、１５…料金ＤＢ、１６…おつかいＤＢ、１７…プログラム。
【図１】
2019016195.tif 000003
【図２】
2019016195.tif 000004
【図３】
2019016195.tif 000005
【図４】
2019016195.tif 000006
【図５】
2019016195.tif 000007
【図６】
2019016195.tif 000008
【図７】
2019016195.tif 000009
【図８】
2019016195.tif 000010
【図９】
2019016195.tif 000011
【図１０】
2019016195.tif 000012
【図１１】
2019016195.tif 000013
【図１２】
2019016195.tif 000014
【図１３】
2019016195.tif 000015
【図１４】
2019016195.tif 000016
【図１５】
2019016195.tif 000017